(57)【要約】      （修正有）【課題】タブレット型電子機器又はタブレット型パソコンを設置するために用い、握持用孔により携行し易くし、組立時は部品を単にはめ合せるだけの構造として、組み立て及び分解が容易な支持フレーム構造を提供する。【解決手段】支持フレームは、底板１、２つのサイドパネル３及び２つの支持板２を備えたものである。２つのサイドパネル３は、底板１の左右側部に配置されている。２つの支持板２は、底板１の両面にそれぞれ配置され、一方の支持板２の自由端が他方の支持板２に係合されるように構成されたものである。【選択図】図４
0003164253.tif 000002
【実用新案登録請求の範囲】
【請求項１】
底板、２つのサイドパネル及び２つの支持板を備える支持フレーム構造であって、
前記２つのサイドパネルは、前記底板の左右側部に配置され、
前記２つの支持板は、前記底板の両面にそれぞれ配置され、一方の前記支持板の自由端が他方の前記支持板に係合されることを特徴とする支持フレーム構造。
【請求項２】
前記底板は、上下端部に第２杆体をそれぞれ設けられた収納孔をそれぞれ有し、
前記支持板は、前記第２杆体と着脱自在に接続される支持板係合部を端部に有することを特徴とする請求項１に記載の支持フレーム構造。
【請求項３】
前記底板は、左右両側に枢着杆をそれぞれ設けられた開孔と、支持杆及び第１杆体が配置された２つの貫通孔と、前記開孔に隣接した箇所にそれぞれ設けられた２つの握持用孔と、を有し、
前記サイドパネルは、当接部と、前記枢着杆と着脱自在に接続されるサイドパネル係合部と、を有し、
前記支持杆は、前記第１杆体と着脱自在に接続される支持杆係合部を有し、
前記支持板は、他方の前記支持板の自由端が着脱自在に接続される複数の位置決め凹溝を有することを特徴とする請求項２に記載の支持フレーム構造。
【考案の詳細な説明】
【技術分野】
【０００１】
本考案は、支持フレーム構造に関するものであり、さらに詳しくは、タブレット型パソコン又はタブレット型電子機器を支持するために用いる支持フレーム構造に関するものである。
【背景技術】
【０００２】
ノート型パソコンは、適切な角度で使用したり展示したりする際、支持フレームに設置することが一般的である。従来の支持フレームは、ノート型パソコンのスクリーンを設置するために用いる基板を有する。かかる基板は、ノート型パソコンの本体を支持するために用いる底板を底端に有し、基板を支持するために用いる支持板を頂端に有するように構成されている。
【０００３】
ところで、近年、ノート型パソコンより優れ、便利なタブレット型パソコンが開発されているが、ノート型パソコンで使用できるように設計されている従来の支持フレームは、かかるタブレット型パソコンには、通常、使用できないという問題がある。従って、従来の支持フレーム構造にタブレット型パソコンを無理に使用した場合、タブレット型パソコンが滑り落ちて損壊する虞がある。
【０００４】
かかる状況下において、タブレット型パソコンに使用可能な支持フレームの開発が切望されてきた。
【考案の開示】
【考案が解決しようとする課題】
【０００５】
従って、本考案の課題は、タブレット型電子機器又はタブレット型パソコンを設置するために用い、携行し易く、容易に組み立て及び分解をすることができる支持フレーム構造を提供することにある。
【課題を解決するための手段】
【０００６】
そこで、本考案者は、前記課題の解決のために鋭意検討を重ねた結果、タブレット型電子機器及びタブレット型パソコンを設置するために用いる際に、握持用孔を設けることにより携行を容易とし、各構成要素を互いに係合させることにより、組み立て及び分解の容易な支持フレームを実現できることに着目し、本考案に想到するに至った。
【０００７】
かくして、上記課題を解決するために、本考案によれば、底板、２つのサイドパネル及び２つの支持板を備える支持フレーム構造であって、
前記２つのサイドパネルは、前記底板の左右側部に配置され、
前記２つの支持板は、前記底板の両面にそれぞれ配置され、一方の前記支持板の自由端が他方の前記支持板に係合されることを特徴とする支持フレーム構造
が提供される。
【０００８】
前記底板は、上下端部に第２杆体をそれぞれ設けられた収納孔をそれぞれ有し、
前記支持板は、前記第２杆体と着脱自在に接続される支持板係合部を端部に有することが好ましい。
【０００９】
前記底板は、左右両側に枢着杆をそれぞれ設けられた開孔と、支持杆及び第１杆体が配置された２つの貫通孔と、前記開孔に隣接した箇所にそれぞれ設けられた２つの握持用孔と、を有し、
前記サイドパネルは、当接部と、前記枢着杆と着脱自在に接続されるサイドパネル係合部と、を有し、
前記支持杆は、前記第１の杆体と着脱自在に接続される支持杆係合部を有し、
前記支持板は、他方の前記支持板の自由端が着脱自在に接続される複数の位置決め凹溝を有することが好ましい。
【考案の効果】
【００１０】
本考案の支持フレーム構造は、タブレット型電子機器又はタブレット型パソコンを設置するために用い、握持用孔により携行し易くし、各構成要素を係合させることにより、容易に組み立て及び分解をすることができ、使用上の価値が高いものである。
【図面の簡単な説明】
【００１１】
【図１】本考案の一実施形態による支持フレーム構造を示す分解斜視図である。
【図２】本考案の一実施形態による支持フレーム構造を閉じた状態を示す斜視図である。
【図３】本考案の一実施形態による支持フレーム構造を展開した状態を示す斜視図である。
【図４】本考案の一実施形態による支持フレーム構造を展開した状態を示す斜視図である。
【図５】本考案の一実施形態による支持フレーム構造にタブレット型パソコンを設置して使用する状態を示す斜視図である。
【考案を実施するための最良の形態】
【００１２】
以下、本考案の実施形態について図面に基づいて説明する。なお、これによって本考案が限定されるものではない。
【００１３】
図１〜図４を参照する。図１〜図４に示すように、本考案の一実施形態による支持フレーム構造は、底板１、２つの支持板２、２つのサイドパネル３及び支持杆４を含む。
【００１４】
底板１の左右両側には、枢着杆１１を有する開孔１０が設けられている。底板１の上下端部には、第２杆体１５を有する収納孔１４がそれぞれ設けられている。底板１は、２つの握持用孔１６及び２つの貫通孔１２を有する。各握持用孔１６は、各開孔１０に隣接した箇所に設けられている。貫通孔１２は、収納孔１４の両側に設けられ、それぞれ第１杆体１３を有する。
【００１５】
各支持板２は、第２杆体１５と着脱自在に接続された支持板係合部２０を端部に有し、底板１と着脱自在に接続することができるように、複数の位置決め凹溝２１が面部に設けられている。
【００１６】
各サイドパネル３は、枢着杆１１と着脱自在に接続されるサイドパネル係合部３０を有し、底板１と着脱自在に接続することができるように設けられた当接部３１を側部に有する。
【００１７】
各支持杆４は、第１杆体１３と着脱自在に接続される支持杆係合部４０を端部に有し、底板１と着脱自在に接続される。
【００１８】
図５を参照する。図５に示すように、タブレット型パソコン５又はタブレット型電子機器は、底板１上に配置されている。２つの支持板２により、底板１の立ち上がり角度を調整した後、一方の支持板２の位置決め凹溝２１に、他方の支持板２の自由端を係合させる。また、タブレット型パソコン５は、貫通孔１２から引き出した支持杆４により適宜支持することにより、底板１から滑り落ちることを防ぐことができる。
【００１９】
タブレット型パソコン５は、サイドパネル３の当接部３１を縁部に当接させることにより、タブレット型パソコン５を位置決めして固定させることができる。
【００２０】
図２を参照する。図２に示すように、本実施形態による支持フレーム構造を折り畳む際は、タブレット型パソコン５を底板１から取り外し、貫通孔１２の中に支持杆４を押入れてから、底板１の一方の側面に一方の支持板２を貼り合わせ、底板１の他方の側面に他方の支持板２を貼り合わせる。これにより、支持フレーム構造を握持し、便利に携行したり使用したりすることができる。
【００２１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１  底板
２  支持板
３  サイドパネル
４  支持杆
５  タブレット型パソコン
１０  開孔
１１  枢着杆
１２  貫通孔
１３  第１杆体
１４  収納孔
１５  第２杆体
１６  握持用孔
２０  支持板係合部
２１  位置決め凹溝
３０  サイドパネル係合部
３１  当接部
４０  支持杆係合部
【図１】
0003164253.tif 000003
【図２】
0003164253.tif 000004
【図３】
0003164253.tif 000005
【図４】
0003164253.tif 000006
【図５】
0003164253.tif 000007